(57)【要約】【課題】新設のみならず、既存のコンクリート護岸に対しても適用可能なもので、求められる石積みと同格の機能を持つものを天然素材を用いて構成し、これを護岸前面に設置することで、簡単かつ安価に生き物棲み処づくりを創出し、干潮時の護岸高温化防止と水域影響の低下も実現できる。【解決手段】直径数センチメートル程度の細い木の枝などを集めて束状にした資材であるソダ２を合成樹脂もしくは天然繊維などの海水に強い部材のネット４もしくは枠に着装して化粧板３としてコンクリート護岸１の護岸面に設置する。【選択図】  図１
2012158915.tif 000002
【特許請求の範囲】
【請求項１】
直径数センチメートル程度の細い木の枝などを集めて束状にした資材であるソダを合成樹脂もしくは天然繊維などの海水に強い部材のネットもしくは枠に着装して化粧板として護岸面に設置することを特徴とする生物生息促進機能付護岸。
【請求項２】
ソダは、金属製の針金もしくはポリエステル製の針金でたばねたものを、横積みもしくはタテ並びにし、もしくはその両者を組み合せた請求項１記載の生物生息促進機能付護岸。
【発明の詳細な説明】
【技術分野】
【０００１】
本発明は、内湾・運河・水路の護岸で、特に、水生動物の生息や水生植物の生育に適した環境を、より有利に形成し得る生物生息促進機能付護岸に関するものである。
【背景技術】
【０００２】
内湾・運河・水路の護岸の多くはコンクリートになっている。このコンクリート護岸に対して、従来の石積護岸は、石が持つ表面の凹凸や粗面、テリ返しの弱い色調、石の保水性、さらに積むことで生じる深目地や裏込め部分に通じる穴などが備わって、生き物のよき棲み処となっている。
【０００３】
特に、食物連鎖の一次生産者である藻類の増殖が意思表面の凹凸粗面、テリ返しの弱さなどから多様な表面をつくり出し、太陽の直射に強い緑藻から低照度で増殖するケイ藻まで多様で藻類の増殖を支え、コンクリート護岸では平滑で小さな影も少ないので直射に強い緑・ラン藻類等の限られた増殖しかない。
【０００４】
そのため石積では隠れ場所もあるが、藻類を餌料とするカニやエビが生活し、それを餌とする魚類が護岸に集まる。
【０００５】
石が保水性を示すことで、潮が引き気相中に露出した護岸空間は太陽の直射を受けても水分によって高温化せず、潮が満ち壁面に水が接しても護岸からの温度は伝わらず、水温の高温化は小さい。
【０００６】
しかしコンクリートの護岸では直射を受けると５０℃以上にもなり、この状態で潮が満ち水が接すると水温の高温化を起こし、護岸全体に接する水際は高温化する。
【０００７】
また、コンクリートに比較し、石積の表面積は凹凸や粗面によって１．４〜１．６倍を示す。ここで増殖する藻類は餌になるだけではなく水中のCO2を原料に昼間は光合成によって酸素O2の吸収も同様の値を示す。この酸素生産によって水中の生き物の生息条件を保つ役目をしている。
【０００８】
石積みの目地はカニなどのかくれ場所だけではなく、人が水中に落ちたときに目地は手掛かり、足がかりとなって、護岸を昇ることが、また身体を確保できる、安全安心の護岸であり、コンクリート護岸ではそれが消失している。
【０００９】
今、石積護岸が持つ機能、生き物の棲み処、高酸素生産とCO2吸収、落水者への安全対策を求めることで新しいコンクリート護岸が開発され、造成も行われているが、m2当り５万円、１ｍ当り３００〜５００万円と高価で大規模な造成は、予算時の問題で難しい状況である。
【００１０】
下記特許文献１は、従来の生物生息促進機能付護岸よりも水生生物の生息域を高く広げることができる生物生息促進機能付護岸の提供として、護岸構造物の前面の潮間帯及び該潮間帯より上側の波によって洗われる高さ位置に、水平方向に向けて細長い開口部を有し、窪みは、その開口部の高さが１ｍ以下で、該高さと同等以上の奥行きである窪みを多段配置に設けたものである。
【特許文献１】特開２００２−２８５５２３号公報
【００１１】
また、下記特許文献２は、矩形Ｃ字型断面形状の魚巣ブロックの少なくとも一つが、後壁の後面を、河川や水路の岸の法面側に向くように、且つ前壁及び後壁を、水流方向に延出して位置させるように設置されてなる魚巣ブロック設置ゾーンと、矩形のカゴ枠の少なくとも一つが、一側面を、前記法面側に向くように設置されてなるカゴ枠設置ゾーンとを、該カゴ枠設置ゾーンにおけるカゴ枠の上部部位が、前記魚巣ブロック設置ゾーンにおける魚巣ブロックの天井壁の上面よりも上方に位置せしめられた状態で、水流に沿った方向において互いに隣接するように、並んで配設して、構成したものである。
【特許文献２】特開２００５−１８８０２１号公報
【発明の開示】
【発明が解決しようとする課題】
【００１２】
前記特許文献１や特許文献２は、護岸前面にブロックを積み上げ、奥行きのある多数の小間隙を形成したり、護岸前面に凹凸を付けて奥行きのある小間隙を形成する方法によるものであり、護岸自体の形状や使用するブロックの特殊構成によるものなので、コストや工事の手間の面で難がある。また、既存のコンクリート護岸に対しては、大がかりな補修工事を必要とする。
【００１３】
本発明の目的は前記事情を考慮して、既存のコンクリート護岸に対しても、求められる石積みと同格の機能を持つものを天然素材を用いて構成し、これを護岸前面に設置することで、簡単かつ安価に生き物棲み処づくりを創出し、干潮時の護岸高温化防止と水域影響の低下も実現できる生物生息促進機能付護岸を提供することにある。
【課題を解決するための手段】
【００１４】
前記目的を達成するため請求項１記載の本発明は、直径数センチメートル程度の細い木の枝などを集めて束状にした資材であるソダを合成樹脂もしくは天然繊維などの海水に強い部材のネットもしくは枠に着装して化粧板として護岸面に設置することを要旨とするものである。
【００１５】
請求項１記載の本発明によれば、ソダという天然材料による護岸壁面の生き物棲み処づくりと食物連鎖の復活がなされ、表面積拡大及び凹凸増大による食物連鎖の一次生産者、増殖場所の創出、付着藻類の成育空間拡大と多様な照度条件による活動空間の創出、付着藻類による光合成に必要なCO2の生産と光合成によって生産されたO2の増加、湿潤したソダによる干潮時の護岸高温化防止と水域影響の低減等が得られる。
【００１６】
また、ソダの天然材に丸めた部分は空気層があり、化粧板全体は、気温以下の温度が保持され、そこに満ちて水が入っても逆に水温を低下させ高温化防止となる。
【００１７】
同様に天然材であるため、材料に入った水分が保持されるのと、材料表面に増殖した藻類が保水することを合わせて温度低下を促進し、また、ソダ表面、側面内側に各種の藻類が増殖し、太陽光線による光合成によって酸素O2生産が行われ、魚類、かに、エビが生息できる環境を作り出すことができる。
【００１８】
請求項２記載の本発明は、ソダは、金属製の針金もしくはポリエステル製の針金でたばねたものを、横積みもしくはタテ並びにし、もしくはその両者を組み合せたことを要旨とするものである。
【００１９】
請求項２記載の本発明によれば、ソダは、金属製の針金もしくはポリエステル製の針金でたばねたものとすることで、ヨシズを丸めた状態と同じようにすることができる。
【００２０】
このように天然材に丸めた部分は空気層があり陰を伴って、外部が３２℃のとき内部は２８℃以下で気温以下の温度が保持され、そこに満ちて水が入っても逆に水温を低下させ高温化防止となる。それは天然材であるため、材料に入った水分が保持されるのと、材料表面に増殖した藻類が保水することを合わせて温度低下を促進する。
【発明の効果】
【００２１】
以上述べたように本発明の生物生息促進機能付護岸は、新設のみならず、既存のコンクリート護岸に対しても適用可能なもので、求められる石積みと同格の機能を持つものを天然素材を用いて構成し、これを護岸前面に設置することで、簡単かつ安価に生き物棲み処づくりを創出し、干潮時の護岸高温化防止と水域影響の低下も実現できるものである。
【発明を実施するための最良の形態】
【００２２】
以下、図面について本発明の実施の形態を詳細に説明する。図１は本発明の生物生息促進機能付護岸の第１実施形態を示す正面図、図２は同上側面図で、図中１はコンクリート護岸である。
【００２３】
コンクリート護岸１の壁面に、直径数センチメートル程度の細い木の枝などを集めて束状にした資材であるソダ２による化粧板３を設置した。
【００２４】
このソダ２による化粧板３は、ポリエステルなどの合成樹脂もしくは麻縄等の天然繊維などの海水に強い部材のネット４もしくは枠にソダ２を着装して形成する。これらネット４もしくは枠には、金属製のものも選択できる。
【００２５】
ソダ２は、金属製の針金５もしくはポリエステル製の針金５でたばねたものとすることで、ヨシズを丸めた状態と同じように円筒形とすることができる。
【００２６】
さらに、円筒形のソダ２は、図示のようにこれを縦並びにして配列する場合の他に、図３に示すように横並びにして配列することも可能である。
【００２７】
また、前記ネット４もしくは枠への取り付けは、海水の満潮（Ｈ・Ｗ）α位置と干潮（Ｌ・Ｗ）β位置に跨るものとし、ネット４もしくは枠の上部の空き部分を利用して、生花もしくは造花による植物装飾６を施す。
【００２８】
ネット４もしくは枠は、コンクリート護岸１の壁面にアンカー等により固定するが、水底での固定は、図示の例では下端は海底への固定アンカー７をもって吊支した。図中７ａは固定アンカー７が引張するアンカーワイヤーである。
【００２９】
そして前記ネット４もしくは枠をコンクリート護岸１の壁面に設置するに際して空間８を確保するようにすれば、この空間８は前記ソダ２による化粧板３の背面の空間になる。該空間８はネット４もしくは枠の裏面に支柱もしくは横棒を入れて形成し、化粧板３が護岸壁面に直接全体裏面が密着することを防ぐ。この空間８は、ソダ２による化粧板３の裏面と表面間に水の出入を保つ。
【００３０】
図示の例ではコンクリート護岸１の上床には手摺９が設置され、その内側にはプランター１０を並べた。
【００３１】
このようにして、図２において、Ａはソダ２の潮間吊上部、Ｂは潮間吊、Ｃは潮間吊下部を示し、ソダ２が縦並びの場合は、潮汐の変化、すなわち、潮が引けば、それに合わせて水中にケン濁する微細粒子の泥や有機物が下降移動し、潮が満ちれば上昇移動し、ソダ表面には常に堆積物がないため、藻類は増殖し世代交代して食物連鎖の一次生産を支える。また、ソダの円形表面は、直射を受ける部分と常に陰になる部分があり、そして、多様な木質や枝ハダ等があり、それにより種々の藻類が増殖することができる。
【００３２】
すなわち、コンクリート護岸１の前面に設置されたソダは、形状としてはヨシズを丸めた状態と同じで、天然材に丸めた部分は空気層があり陰を伴って、外部が３２℃のとき内部は２８℃以下で、気温よりも低い場合が生じる。そのため、化粧板全体は、気温以下の温度が保持され、そこに満ちて水が入っても逆に水温を低下させ高温化防止となる。
【００３３】
それは天然材であるため、材料に入った水分が保持されるのと、材料表面に増殖した藻類が保水することを合わせて温度低下を促進する。
【００３４】
また、ソダ表面、側面内側に各種の藻類が増殖し世代交代し、増殖するために水中のCO2溶存ガスを原料として太陽光線による光合成によって酸素O2生産が行われる。
【００３５】
その酸素を含んだ水は光合成が停止した夜間もソダ内に滞留し、常に化粧板内は酸素の欠乏は起きず、多数の魚類、カニ、エビが生息できる溶存酸素量４mg1／l以上の環境条件を維持する。
【００３６】
なお、ソダ２は結束したものの枝を伸ばすことで、景観デザインとしての護岸のデザインとしても扱かえるし、また、図示は省略するが、ソダ２上部（複数ソダ２を結束し、その結束の空間）に土を入れる空間を作るか、植物を植えたポットを入れる空間を作れば、護岸上部の緑化が可能となる。
【００３７】
図３に示すソダ２の横並び（横積み）の場合は、カニ等の水平を好む生き物対応で、ソダとソダとの間の空間にかくれ場所を作り、それはウナギ等も利用する。ただ、水中にケン渇する微細粒子の泥や有機物がソダの上部に堆積する特性があり、藻類は体積によって増殖が弱まる。
【００３８】
図４、図５はソダ２のソダの横積みとタテ並びのバリエーションの組み合わせで、かつ、コンクリート護岸１の上部まで並べた例を示す。
【００３９】
横並び（横積み）の場合は、落水したものに対し、ソダ２は階段状になっているため、登れる。またタテ並びでもソダ２をつかむことで指が入り体を確保でき隣接した横並び（横積み）部分で登ることができる。
【図面の簡単な説明】
【００４０】
【図１】本発明の生物生息促進機能付護岸の第１実施形態を示す正面図である。
【図２】本発明の生物生息促進機能付護岸の第１実施形態を示す側面図である。
【図３】本発明の生物生息促進機能付護岸の第２実施形態を示す正面図である。
【図４】本発明の生物生息促進機能付護岸の第３実施形態を示す正面図である。
【図５】本発明の生物生息促進機能付護岸の第３実施形態を示す正面図である。
【符号の説明】
【００４１】
１…コンクリート護岸            ２…ソダ
３…化粧板                      ４…ネット
５…針金                        ６…植物装飾
７…固定アンカー                ７ａ…アンカーワイヤー
８…空間                        ９…手摺
１０…プランター
【図１】
2012158915.tif 000003
【図２】
2012158915.tif 000004
【図３】
2012158915.tif 000005
【図４】
2012158915.tif 000006
【図５】
2012158915.tif 000007